(57)【特許請求の範囲】
【請求項１】
複数の用紙が一方向に連接してなる連続用紙を用紙送りローラによりローラ搬送する給紙部を介して、低速回転ローラと高速回転ローラを使用して切断する加工処理機構を有した処理部に送り込み、該処理部により前記連続用紙に対して加工処理を施す連続用紙処理装置において、
前記給紙部の前記用紙送りローラに対応して該用紙送りローラの上方に回転自由なコロを備え、前記給紙部の連続用紙を連続用紙の上方から摺接可能に押さえる用紙押さえを、連続用紙を下方から受けて処理部側に送る用紙送りローラに対して離接可能に配置し、前記用紙送りローラと用紙押さえとで連続用紙を挟持可能としたことを特徴とする連続用紙処理装置。
【発明の詳細な説明】
【０００１】
【発明の属する技術分野】
本発明は、一単位の用紙が一方向に複数連接してなる連続用紙に対して、スリット入れや単位ごとの分離などの加工処理を施す連続用紙処理装置に関するものである。
【０００２】
【発明が解決しようとする課題】
従来、帳票などの一単位の用紙が一方向に複数連接してなる連続用紙に対する印字処理と、その印字処理の後の、折り、重ね合わせ、スリット入れ、単位ごとの分離などの連続用紙に対する各種の加工処理とは、その印字処理の速度と加工処理の速度とが異なっていることや工程管理の面などを考慮して別々に行われており、印字処理された連続用紙を、例えば折り重ね状態で蓄積しておいてから、その蓄積された連続用紙を、折り、重ね合わせなどの各種の処理装置に給紙するようにしている。また、連続用紙に対する加工処理の各段階において処理速度に差が生じるような場合には、前述と同様にして加工された連続用紙を一端蓄積し、その蓄積された連続用紙をつきの処理装置に給紙している。
【０００３】
図３は余剰部分を取り除くためにスリットを入れてから単位ごとの用紙に分離する連続用紙処理装置１を示していて、上述した理由などから予め印字処理されて蓄積した連続用紙、或いは印字処理後に、折り、重ね合わせなどの加工処理を行って蓄積した連続用紙が給紙されるものである。
この連続処理装置１にあっては、給紙部２とその後位に設けられている処理部３とからなるものであり、給紙部２においては、連続用紙Ａを下方より支えるガイドテーブル４と、載置台１７に折り畳まれて載置された連続用紙Ａを下方から受けて駆動回転によりその連続用紙Ａをローラ搬送する用紙送りローラ５とで、折畳み状態にある前記連続用紙Ａを下方から繰り出し、連続用紙Ａの両側をエッジガイド１８，１８でガイドしながら導き入れるようにしており、導き出された連続用紙に対してスリッター６にてスリットを入れて不要の側辺部分をスリット屑箱１９に切り落とし、上下一対で当接状態にある第二の用紙送りローラ７，７の間を通すようにしている。前記第二の用紙送りローラ７，７は上下方向から連続用紙を挟み込み確実に処理部３へ送り出すようにしている。
【０００４】
そして、処理部３では、上下一対の低速回転ローラ８，８とこの低速回転ローラより用紙送り速度が速い上下一対の高速回転ローラ９，９とが用紙送り方向に順に並べられており、上記第二の用紙送りローラ７，７がら送り出された連続用紙Ａが前記低速回転ローラ８，８の間に送り込まれ（低速回転ローラは第二の用紙送りローラと同じ用紙送り速度で回転する）、さらにその低速回転ローラ８，８から送り出された連続用紙が高速回転ローラ９，９の間に送り込まれたときに低速回転ローラ８，８と高速回転ローラ９，９との用紙送り速度の差によって、連続用紙を単位の用紙ごとに分断し、分断された用紙が高速回転ローラ９，９からスタッカー部１０に順次送り出されるようになる。１１は上下移動するブレードであり、低速回転ローラ８，８と高速回転ローラ９，９との間に亘る連続用紙の各用紙連接部分に対応位置して、所要のタイミングで用紙連接部分にこのブレード１１が当接して切り込みを行い、連続用紙が分断し易くしている。１２はカバーであり、先端をガイド１３としている。
【０００５】
ところで、上記構造の連続用紙処理装置１において、側辺にマージナルパンチなどの用紙送りのための加工が施されていない連続用紙をセットするには、その連続用紙の最始端部分を上記給紙部上に乗せ置いてからその給紙動作を開始させるようにしている。しかしながら、最始端部分が確実に保持されていない状態で給紙動作が行われるために、その最始端部分が持ち上がってズレ易くなり適正な状態で第二の用紙送りローラの間に入り込まないという不都合を生じており、連続用紙のセットごとに作業員が連続用紙の送り込みを補助する手間を要している。
【０００６】
そこで本発明は上記事情に鑑み、給紙部において連続用紙の最始端部分を人手を要することなく平坦な状態に保持できるようにして、連続用紙のセットを行う際の手間を無くすことを目的とする。
【０００７】
【課題を解決するための手段】
本発明は上記解題を考慮してなされたもので、複数の用紙が一方向に連接してなる連続用紙を用紙送りローラによりローラ搬送する給紙部を介して、低速回転ローラと高速回転ローラを使用して切断する加工処理機構を有した処理部に送り込み、該処理部により前記連続用紙に対して加工処理を施す連続用紙処理装置において、前記給紙部の前記用紙送りローラに対応して該用紙送りローラの上方に回転自由なコロを備え、前記給紙部の連続用紙を連続用紙の上方から摺接可能に押さえる用紙押さえを、連続用紙を下方から受けて処理部側に送る用紙送りローラに対して離接可能に配置し、前記用紙送りローラと用紙押さえとで連続用紙を挟持可能としたことを特徴とする連続用紙処理装置を提供して、上記課題を解消するものである。
【０００８】
【発明の実施の形態】
つぎに本発明を図１と図２に示す実施の形態に基づいて詳細に説明する。なお、図３に示す従来例と構成が重複する部分は同符号を付してその説明を省略する。
本発明においては、図１に示すように用紙送りローラ５に対応してその上方に回転自由なコロ１５を備えた用紙押さえ１６が配置されている。この用紙押さえ１６は第二の用紙送りローラ７の上方を回動中心として回動するステー１７の先端に設けられており、前記用紙送りローラ５に対して離接可能とされ、この給紙部２を移動する連続用紙Ａを上方から摺接可能に押さえるようにするものである。このように、連続用紙をローラ搬送する用紙送りローラ５の上位に用紙押さえ１６が配置されてその用紙押さえ１６により連続用紙を摺接可能に押さえるようにするので、搬送中の連続用紙の移動に何ら支障を与えることがないとともに、連続用紙の最始端部分を用紙送りローラ５の上に乗せ置く際にその用紙送りローラ５と用紙押さえ１６との間に差し入れるようにすることで、連続用紙の最始端部分をその用紙押さえ１６と用紙送りローラ５とで挟持状態にして保持させることができ、その状態で給紙部２の搬送動作を開始させることで、最始端部分が持ち上がることなく適正に第二の用紙ローラ７，７側に送り出されるようになり、搬送開始時の連続用紙の位置ズレなどを生じさせることがなくなる。
【０００９】
さらに、前記アーム１４を引き起こした状態で位置決めできるようにすれば、連続用紙の最始端部分を置く際に用紙押さえ１６を引き上げ位置に待機させておくことで、最始端部分の配置作業がより簡単に行えるようになり、その配置後に用紙押さえ１６を戻すことで最始端部分を保持させることができる。
【００１０】
【発明の効果】
以上説明したように本発明によれば、複数の用紙が一方向に連接してなる連続用紙を用紙送りローラによりローラ搬送する給紙部を介して、低速回転ローラと高速回転ローラを使用して切断する加工処理機構を有した処理部に送り込み、該処理部により前記連続用紙に対して加工処理を施す連続用紙処理装置において、前記給紙部の前記用紙送りローラに対応して該用紙送りローラの上方に回転自由なコロを備え、前記給紙部の連続用紙を連続用紙の上方から摺接可能に押さえる用紙押さえを、連続用紙を下方から受けて処理部側に送る用紙送りローラに対して離接可能に配置し、前記用紙送りローラと用紙押さえとで連続用紙を挟持可能としたことを特徴とするものである。これによって、連続用紙をセットする際の最始端部分を人手を介することなく保持させておくことができ、その最始端部分を適正に送り込めるようになって連続用紙の位置ズレなどを生じさせないなど、実用性に優れた効果を奏するものである。
【図面の簡単な説明】
【図１】本発明に係る連続用紙処理装置の一例を断面で概略的に示す説明図である。
【図２】同じく一例を示す説明図である。
【図３】従来例を概略的に示す説明図である。
【符号の説明】
１…連続処理装置
２…給紙部
４…ガイドテーブル
５…用紙送りローラ
７…第二の用紙送りローラ
１４…アーム
１５…コロ
１６…用紙押さえ
【図１】
0003592808.tif 000002
【図２】
0003592808.tif 000003
【図３】
0003592808.tif 000004